(57)【要約】【課題】ネットワークグループに属する複数の機器の接続関係を示す情報を、該接続関係を示す情報の格納場所情報を予め取得する必要なく取得することを目的とする。【解決手段】ネットワークグループに属する複数の機器のうちのいずれかの機器であって、前記ネットワークグループに属する複数の機器の接続関係を示す情報の格納場所情報を受信する通信制御部と、受信した前記複数の機器の接続関係を示す情報の格納場所情報を記録する記録部と、を有する機器が提供される。【選択図】図５
2017163218.tif 000002
【特許請求の範囲】
【請求項１】
ネットワークグループに属する複数の機器のうちのいずれかの機器であって、
前記ネットワークグループに属する複数の機器の接続関係を示す情報の格納場所情報を受信する通信制御部と、
受信した前記複数の機器の接続関係を示す情報の格納場所情報を記録する記録部と、
を有する機器。
【請求項２】
前記複数の機器の接続関係を示す情報は、
前記複数の機器の親子関係を示すペアレント情報と、前記複数の機器のアクセス経路を示すルート情報とを含む、
請求項１に記載の機器。
【請求項３】
前記通信制御部は、ネットワークグループに属する前記複数の機器が測定する測定情報を参照している情報処理装置とは異なる情報処理装置からの要求に応じて、前記複数の機器の接続関係を示す情報の格納場所情報を送信する、
請求項１又は２に記載の機器。
【請求項４】
ネットワークグループに属する複数の機器のうちのいずれかの機器のコンピュータが実行する接続関係記録方法であって、
前記ネットワークグループに属する複数の機器の接続関係を示す情報の格納場所情報を受信し、
受信した前記複数の機器の接続関係を示す情報の格納場所情報を記録部に記録する、
接続関係記録方法。
【請求項５】
ネットワークグループに属する複数の機器のうちのいずれかの機器のコンピュータに実行させるための接続関係記録プログラムであって、
前記ネットワークグループに属する複数の機器の接続関係を示す情報の格納場所情報を受信し、
受信した前記複数の機器の接続関係を示す情報の格納場所情報を記録部に記録する、
接続関係記録プログラム。
【発明の詳細な説明】
【技術分野】
【０００１】
本発明は、機器、接続関係記録方法及び接続関係記録プログラムに関する。
【背景技術】
【０００２】
ある電気製品が使用した電力を電力計測機にて計測する方法が知られている（例えば、特許文献１及び特許文献２参照）。電力計測機が複数ある場合、ＰＣ（Personal Computer）からいずれかの電力計測機に接続した後、その電力計測機を無線接続の中継局として、アクセス可能な他の電力計測機を調べることを再帰的に行い、調べるべき電力計測機と、調べるべき電力計測機間のアクセス経路を特定することが行われる場合がある。
【先行技術文献】
【特許文献】
【０００３】
【特許文献１】特開２００９−１３０９８４号公報
【特許文献２】特開２０１４−１８７４２２号公報
【発明の概要】
【発明が解決しようとする課題】
【０００４】
しかしながら、上記の方法で電力計測機間のアクセス経路を特定する場合、各々の電力計測機を中継局として各電力計測機の位置関係を判断し、再帰的に接続可能な他の電力計測機を探すため、電力計測機間の接続関係を検出し終わるまでの処理に時間がかかる。
【０００５】
これに対して、特定のＰＣで電力計測機間の接続関係を検出するのであれば、検出対象となる電力計測機に変化がなければ、一度調べた結果である電力計測機間の接続関係情報を記録しておけばよい。その場合、記録した電力計測機間の接続関係情報に基づき、そのＰＣと接続したある電力計測機から、他の各電力計測機へのアクセス経路を特定することで、各電力計測機にアクセスをすることができる。
【０００６】
しかし、特定のＰＣとは異なる別のＰＣ電力計測機間の接続関係を検出する場合、再度、各電力計測機の位置関係を判断し、電力計測機間のアクセス経路を特定する必要があり、電力計測機間の接続関係を検出し終わるまでの処理に時間がかかる。
【０００７】
そこで、一側面では、本発明は、ネットワークグループに属する複数の機器の接続関係を示す情報を、該接続関係を示す情報の格納場所情報を予め取得する必要なく取得することを目的とする。
【課題を解決するための手段】
【０００８】
一つの案では、ネットワークグループに属する複数の機器のうちのいずれかの機器であって、前記ネットワークグループに属する複数の機器の接続関係を示す情報の格納場所情報を受信する通信制御部と、受信した前記複数の機器の接続関係を示す情報の格納場所情報を記録する記録部と、を有する機器が提供される。
【発明の効果】
【０００９】
一側面によれば、ネットワークグループに属する複数の機器の接続関係を示す情報を、該接続関係を示す情報の格納場所情報を予め取得する必要なく取得することができる。
【図面の簡単な説明】
【００１０】
【図１】一実施形態に係る電力メータの使用の一例を示す図。
【図２】一実施形態に係る電力メータのハードウェア構成の一例を示す図。
【図３】一実施形態に係る複数の電力メータを含む計測システムの一例を示す図。
【図４】一実施形態に係る電力メータのマイコンの機能構成の一例を示す図。
【図５】一実施形態に係る接続関係記録処理の一例を示すフローチャート。
【図６】一実施形態に係る初期化処理の一例を示すフローチャート。
【図７】一実施形態に係る新しいＰＣが追加された場合の計測システムを示す図。
【図８】一実施形態に係る新しいＰＣが追加された場合の接続関係記録処理の一例を示すフローチャート。
【発明を実施するための形態】
【００１１】
以下、本発明の実施形態について添付の図面を参照しながら説明する。なお、本明細書及び図面において、実質的に同一の機能構成を有する構成要素については、同一の符号を付することにより重複した説明を省く。
【００１２】
＜はじめに＞
通信機能を有し、計測及び収集したデータをネットワーク上のサーバにアップロードして管理する機器がある。計測及び収集したデータは、単に表示されるだけでなく、そのデータを蓄積し、更にそのデータをサーバにアップロードして運用することができる。
【００１３】
以下では、図１に示すように、本発明の一実施形態に係る機器の一例として電力メータ１を挙げて説明する。ただし、上記機器は、電力メータ１に限らず、温度計、湿度計、照度計等であってもよい。本実施形態では、電力メータ１に温度センサ、湿度センサ、照度センサが取り付けられ、電力データの測定だけでなく、温度、湿度、照度の測定ができる。
【００１４】
電力メータ１は、電気製品の消費電力を測定する簡易型の測定機器の一例である。電力メータ１は、コンセント２に差し込まれ、電気製品３が使用した電力を測定及び記録する。図１では、本実施形態に係る電力メータ１は、電気製品３の一例であるテレビと電源ケーブル４を介して接続されている。電気製品３には、測定対象の電子機器であり、テレビに限らず、Blu-ray Disk(商標)レコーダ（以下、「ＢＤレコーダ」という。）、空気洗浄機、洗濯機、冷蔵庫、エアーコンディショナー等、全ての電気製品が含まれる。
【００１５】
ＰＣ６は、電力メータ１が測定した電力データを参照し、電力データの推移を表示する等の処理を行う情報処理装置の一例である。情報処理装置の他の例としては、タブレット型端末、スマートフォン、ＰＤＡ（Personal Digital Assistants）、ＨＭＤ（Head Mount Display）等のウェアラブル表示デバイスがあげられる。
【００１６】
［電力メータのハードウェア構成］
次に、電力メータ１のハードウェア構成の一例について、図２を参照しながら説明する。電力メータ１は、マイコン１１、ＲＯＭ（Read Only Memory）１２、電力計測回路１３、温度・湿度・照度計測回路１４、無線回路１５、電源回路１６、プラグ１７、プラグ差込口１８及びアンテナ１９を有する。
【００１７】
電力メータ１には、制御用のマイコン１１が搭載されており、マイコン１１の内部のＲＯＭ１２には、設定ファイル格納場所情報３１、電力データＤＢ（データベース）３２及び温度・湿度・照度データＤＢ３３が記録される。電力計測回路１３が測定した電力データは、一時、マイコン１１に内蔵されている電力データＤＢ３２に格納される。温度・湿度・照度計測回路１４が測定した温度データ、湿度データ、照度データは、一時、マイコン１１に内蔵されている温度・湿度・照度データＤＢ３３に格納される。
【００１８】
格納された電力データ、温度データ、湿度データ、照度データは、ＰＣ６からの指示に従いＰＣ６に送信される。従って、電力メータ１は、ＰＣ６と常時接続して電力データを送信し続ける必要はない。また、ＰＣ６には、電力メータ１の設定状況を格納した設定ファイルが保存されている。設定ファイル格納場所情報３１は、ＰＣ６にインストールされたアプリケーションソフトウェア７により初期設定時にサーバ上に作成された設定ファイルの格納場所を示す情報である。
【００１９】
無線回路１５は、他の電力メータ１や他の機器と無線通信するための回路である。無線回路１５は、無線通信用のアンテナ１９を介して他の機器と無線通信する。プラグ１７を壁等のコンセントに挿すと、電気製品３がプラグ差込口１８に接続される。電力メータ１には、電力計測回路１３、温度・湿度・照度計測回路１４、無線回路１５及びマイコン１１の電源を生成する電源回路１６が設けられている。
【００２０】
［計測システム］
次に、計測システム１０について説明する。図３に電力メータ１を含む計測システム１０の一例を示す。計測システム１０は、電力メータ１ａ、１ｂ、１ｃ、１ｄ、ＰＣ６ａ、６ｂを有する。電力メータ１ａ、１ｂ、１ｃ、１ｄは、互いに接続して一つのネットワークグループＮＷを形成することができる。なお、電力メータ１ａ、１ｂ・・・を総称して、電力メータ１とも称呼する。また、ＰＣ６ａ，６ｂを総称して、ＰＣ６とも称呼する。
【００２１】
このネットワークグループＮＷに属する各電力メータ１ａ、１ｂ、１ｃ、１ｄにより測定された電力データは、複数のＰＣ６ａ、６ｂにより参照される。電力メータ１とＰＣ（Personal Computer）６との間及び電力メータ１間は、Bluetooth（登録商標、以下同じ。）等のＢｌｕｅｔｏｏｔｈ５で接続される。
【００２２】
なお、本明細書では、無線通信方式として、Bluetoothを使用する例を挙げて説明する。つまり、本明細書では、電力メータ１間の通信及びＰＣ６と電力メータ１との間の通信にはBluetoothの無線通信方式が使用される。しかしながら、これに限らず、Bluetooth以外の無線通信方式を使用することも可能である。
【００２３】
ＰＣ６には、電力メータ１を制御し、受信した電力データを保存して管理するアプリケーションソフトウェア７がインストールされており、電力メータ１が測定した電力データの収集及び表示等の処理を行う。
【００２４】
電力データは、複数のＰＣ６ａ、６ｂとインターネット９を介して接続されたサーバ８上の電力データＤＢ８２に保存され、サーバ８にて管理される。複数の電力メータ１ａ、１ｂ、１ｃ、１ｄの接続関係を示す情報（以下、「接続関係情報」ともいう。）が設定された設定ファイル８１も同様に、サーバ８に保存され、管理される。接続関係情報は、複数の電力メータ１ａ、１ｂ、１ｃ、１ｄが測定した測定データを、ＰＣ６ａ、６ｂがどの電力メータ１ａ、１ｂ、１ｃ、１ｄを経由して取得するかを示した情報を含む。設定ファイルには、接続関係情報だけでなく、測定対象の電気製品３に関する情報が含まれてもよい。
【００２５】
このようにして、設定ファイル及び電力データは、サーバ８に格納される。
【００２６】
例えば、新規の電気製品３を測定する電力メータ１をネットワークグループＮＷに追加して接続する場合や、電力データを参照及び閲覧するためのＰＣ６を追加して接続する場合、電力メータ１同士の接続関係情報が格納された設定ファイルが必要となる場合がある。この場合、ＵＳＢ（Universal Serial Bus）メモリ等の媒体や接続したネットワーク経由で設定ファイルを参照するなどの方法がある。しかし、設定ファイルの保存先を示す設定ファイル格納場所情報を正確に知らないと、追加したい機器を直ちにネットワークグループＮＷに接続できないという課題が生じる。
【００２７】
また、通常、Bluetoothなど無線通信では、電波の遮蔽物などがあり、ＰＣ６ａ及びＰＣ６ｂから直接すべての電力メータ１ａ、１ｂ、１ｃ、１ｄにアクセスできるとは限らない。そこで、電力メータ１の接続関係を探索する探索方法の一例について述べる。例えば、図３に示すＰＣ６ａが、ネットワークグループＮＷに属する複数の電力メータ１の接続関係を探索する場合、まず、ＰＣ６ａで起動するアプリケーションソフトウェア７の指示に従い、ＰＣ６ａが直接接続可能な電力メータ１ａを探索する。次に、ＰＣ６ａは、探索した電力メータ１ａを無線接続の中継局として、アクセス可能な他の電力メータ１ｂ、１ｃを見つける。次に、ＰＣ６ａは、電力メータ１ａに加えて電力メータ１ｂ、１ｃを無線接続の中継局として、アクセス可能な電力メータ１ｄを見つける。
【００２８】
これにより、電力メータ１間のアクセス経路の探索が完了する。完了したアクセス経路を示すルート情報、及び、電力メータ１間の機器の親子関係を示すペアレント情報が、設定ファイルに格納される。例えば、上記例では、設定ファイルのペアレント情報には、ＰＣ６ａと直接接続される電力メータ１ａを親機とすると、電力メータ１ｃ、１ｂは子機、電力メータ１ｄは孫機を示す情報が格納される。また、例えば、設定ファイルのルート情報には、電力メータ１ａ→電力メータ１ｃ→電力メータ１ｄのルート、及び、電力メータ１ａ→電力メータ１ｂのルートを示す情報が格納される。このような電力メータ１間の中継動作においては、各電力メータ１ａ、１ｃは、中継局としての機能以上は持たない。
【００２９】
また、各電力メータ１は、互いの接続関係情報を記録していない。また、電力メータ１ａ、１ｂ、１ｃ、１ｄの各ＲＯＭ１２は、接続関係を示す情報の格納場所の情報（設定ファイル格納場所情報３１）を記憶する記憶領域は有するが、接続関係情報自体を記憶する記憶領域は持たない。
【００３０】
そこで、本実施形態に係る電力メータ１は、設定ファイルの格納場所情報３１をネットワークグループＮＷに属する全ての電力メータ１のＲＯＭ１２に格納しておく。これにより、ＰＣ６を追加する際、追加したＰＣがどの電力メータ１と接続を確立しても、いずれかの電力メータ１のＲＯＭ１２に格納された設定ファイル格納場所情報３１を受信し、受信した設定ファイル格納場所情報３１に基づきサーバ８に格納されている設定ファイル８１を参照することができる。これにより、追加したＰＣは、ネットワークグループＮＷに属する複数の電力メータ１の接続関係を示す情報を、該接続関係を示す情報の格納場所情報を予め取得する必要なく、ネットワークグループＮＷに属する全ての電力メータ１の接続情報を把握できる。
【００３１】
［電力メータの機能構成］
次に、本実施形態に係る電力メータ１の機能構成の一例について、図４を参照しながら説明する。電力メータ１は、データ測定部２１、記録部２２、制御部２３及び通信制御部２４を有する。
【００３２】
データ測定部２１は、電力・気温・湿度・照度を測定し記録部２２に記録する。
【００３３】
通信制御部２４は、Bluetooth通信の制御と、この通信の指示により記録部２２の各種データや設定ファイルや設定ファイルの格納場所情報などを送受信する。
【００３４】
記録部２２には、測定した各種データや設定ファイルの格納場所情報などが格納される。記録部２２は、取得した情報を設定ファイル格納場所情報３１としてＲＯＭ１２に記録する。制御部２３は、これら各部全体の制御を行う。制御部２３の機能は、マイコン１１により実現される。データ測定部２１の機能は、マイコン１１、電力計測回路１３及び温度・湿度・照度計測回路１４により実現される。通信制御部２４の機能は、マイコン１及び無線回路１５により実現される。
【００３５】
記録部２２は、設定ファイル格納場所情報３１の他、電力データＤＢ３２、温度・湿度・照度データＤＢ３３及び接続関係記録プログラム３４を記録する。記録部２２の機能は、例えば、ＲＯＭ１２により実現される。
【００３６】
設定ファイル格納場所情報３１は、電力メータ１の接続関係等の情報の格納場所を示す。例えば、設定ファイル格納場所情報３１は、図３のサーバ８の設定ファイル８１が記録されている格納場所（アドレス）を示す。
【００３７】
なお、図４は機能に着目したブロック図を描いており、これらの機能ブロックで示した各部は、ハードウエアのみ、ソフトウエアのみ、またはハードウエアとソフトウエアとの組合せによって実現することができる。
（設定ファイル）
サーバ８上の、設定ファイル格納場所情報３１が示す格納場所に記録された設定ファイルに格納されている情報を下記に示す。
【００３８】
・複数の電力メータ１を一つのネットワークグループＮＷとして設定している場合の接続情報
・電力データ等の格納先
・ネットワークグループＮＷ内の各電力メータ１の設置場所
・ネットワークグループＮＷ内の各電力メータ１に接続されている電気製品３の情報
・ネットワークグループＮＷ内の各電力メータ１を参照するＰＣ６の情報
なお、上記接続情報には、複数の電力メータ１の親子関係を示すペアレント情報と、複数の電力メータ１のアクセス経路を示すルート情報とを含んでもよい。
【００３９】
［接続関係記録処理］
次に、本実施形態に係る接続関係記録処理について図５を参照して説明する。図５は、本実施形態に係る接続関係記録処理の一例を示したフローチャートである。本処理は、制御部２３で実行される。
【００４０】
本処理が開始されると、まず、初期化処理として、マイコン１１の初期化、通信設定、設定ファイル格納場所情報３１のＲＯＭ１２への保存が行われる（ステップＳ１１）。初期化処理については、図６を参照しながら後述する。初期化処理が終了すると、マイコン１１は、電力計測回路１３を使用して、電力の測定を開始する（ステップＳ１２）。次に、マイコン１１は、ＰＣ６から電力データの送信要求があるか否かを判定する（ステップＳ１３）。
【００４１】
マイコン１１は、ＰＣ６から電力データの送信要求があると判定した場合、ＲＯＭ１２の電力データＤＢ３２に蓄積した電力データをＰＣ６に送信する（ステップＳ１４）。電力データをＰＣ６に送信後、又は、ステップＳ１３において、ＰＣ６から電力データの送信要求がないと判定した場合、マイコン１１は、ＰＣ６から設定ファイルの格納場所情報の送信要求があるか否かを判定する（ステップＳ１５）。
【００４２】
マイコン１１は、ＰＣ６から設定ファイル８１の格納場所情報の送信要求があると判定した場合、ＲＯＭ１２に格納されている設定ファイル格納場所情報３１をＰＣ６に送信する（ステップＳ１６）。
【００４３】
設定ファイル格納場所情報３１をＰＣ６に送信後、又は、ステップＳ１５において、ＰＣ６から設定ファイル８１の格納場所情報の送信要求がないと判定した場合、マイコン１１は、ＰＣ６から電力データの測定停止要求があるか否かを判定する（ステップＳ１７）。マイコン１１は、ＰＣ６から電力データの測定停止要求がないと判定した場合、ステップＳ１２に戻り、ステップＳ１２以降の処理を実行する。ステップＳ１７において、ＰＣ６から電力データの測定停止要求があると判定した場合、本処理を終了する。
【００４４】
なお、本処理では、電力データの計測を行ったが、本実施形態にかかる接続関係記録処理では、電力データに替えて、又は電力データとともに、温度・湿度・照度計測回路１４が測定した温度データ、湿度データ、照度データをＰＣ６に送信してもよい。
【００４５】
（初期化処理）
図５のステップＳ１１における初期化処理について、図６を参照しながら具体的に説明する。図６の左側の点線枠内は、ＰＣ６の主にＣＰＵが実行する初期化処理の一例を示すフローチャートであり、右側の点線枠内は、電力メータ１の主にマイコン１１が実行する初期化処理の一例を示すフローチャートである。
【００４６】
まず、ＰＣ６は、サーバ８上に電力データや設定ファイルの保存先の記憶領域を確保する（ステップＳ２１）。これにより、図７に示すように、サーバ８上に、設定ファイル８１を記憶する領域と、電力データＤＢ８２を記憶する領域とが設定される。
【００４７】
次に、ＰＣ６は、電力メータ１との無線通信（Bluetooth）の設定を行う（ステップＳ２２）。これに応じて、電力メータ１は、ＰＣ６との無線通信の設定（ペアリング処理）を行う（ステップＳ２３）。無線通信にBluetoothを使用している場合、電力メータ１とＰＣ６とのペアリングがこの通信設定にあたる。
【００４８】
ペアリング処理は、電力メータ１をＰＣ６の近くのコンセントに挿して行う。電力メータ１とＰＣ６とのペアリングが終了した後、電力メータ１を測定対象の電気製品３のコンセントに移設して、電力データの計測を開始する。電力メータ１とＰＣ６とのペアリングを行い、接続相手の機器を特定することで、近隣のBluetoothを搭載した他のＰＣ６からの接続はできなくなり、セキュリティ上問題となるデータの漏えい等を防止することができる。
【００４９】
電力メータ１が無線通信の設定（ペアリング処理）の完了を通知すると、ＰＣ６は、他の電力メータ１の検索と接続の指示を行う（ステップＳ２４）。これに応じて、電力メータ１は、他の電力メータ１を検索し、他の電力メータ１が見つかった場合、接続の設定（接続処理）を行う（ステップＳ２５）。
【００５０】
電力メータ１が、他の電力メータの検索と接続処理の完了を通知すると、ＰＣ６は、その情報を受けて設定ファイルを作成し（ステップＳ２６）、作成した設定ファイルをサーバ８に格納する（ステップＳ２７）。次に、ＰＣ６は、設定ファイルの格納場所情報を電力メータ１に送信する（ステップＳ２８）。電力メータ１は、受信した設定ファイルの格納場所情報をＲＯＭ１２に設定ファイル格納場所情報３１として格納し（ステップＳ２９）、初期化処理を終了する。
【００５１】
［ＰＣを追加した場合］
図３に示した計測システム１０に新たにＰＣを追加する場合について説明する。図７は、図３に示した計測システム１０に新たにＰＣ６ｃを追加した状態を示す。ＰＣ６ｃを追加する際、設定ファイル８１の所在がわからないと、ＰＣ６ｃが、各電力メータ１の電力データを収集して表示する処理ができないという課題が生じる。
【００５２】
ここで、前述のように、電力メータ１ａ、１ｂ、１ｃ、１ｄの各ＲＯＭ１２は、接続関係を示す情報の格納場所の情報（設定ファイル格納場所情報３１）を記憶する記憶領域は有するが、接続関係情報自体を記憶する記憶領域は持たない。
【００５３】
また、複数の電力メータ１及び複数のＰＣ６を接続する場合、設定ファイル８１のファイルサイズは大きくなる。また、設定ファイル８１ののファイルサイズは、電力メータ１やＰＣ６の追加又は削除で変更される頻度も高くなる。従って、設定ファイル８１の情報を、電力メータ１に保存するのは困難である。このため、設定ファイル８１は、サーバ８上に格納し、電力メータ１には設定ファイルの格納場所の情報（つまり、設定ファイル格納場所情報３１）を保存することが有効である。
【００５４】
そこで、本実施形態のネットワークグループＮＷ内の全電力メータ１は、設定ファイル格納場所情報３１をＲＯＭ１２に記録しておくことで、上記問題を解決する。つまり、追加されたＰＣ６ｃは、接続可能な電力メータ１のＲＯＭ１２に記録されている設定ファイル格納場所情報３１に基づき設定ファイル８１の格納場所を判定する。そして、ＰＣ６ｃは、判定した設定ファイル８１の格納場所に格納された接続関係情報をサーバ８から受信する。これにより、新たなＰＣ６ｃは、ネットワークグループＮＷに属する電力メータ１ａ、１ｂ、１ｃ、１ｄの接続関係を把握できる。これにより、新たなＰＣ６ｃは、直ちにネットワークグループＮＷに属する各電力メータ１から電力データ等を直ちに収集できる。
【００５５】
図７では、電力メータ１ａ及び電力メータ１ｃ間はBluetooth５ａで直接接続されている。電力メータ１ａと直接接続が確立されていない電力メータ１ｄは、電力メータ１ｃを経由して電力メータ１ａと接続できる。同様に、電力メータ１ｃと直接接続が確立されていない電力メータ１ｂは、電力メータ１ｂ、１ｃとBluetooth５ｄ，５ａで直接接続が確立されている電力メータ１ａを経由して電力メータ１ｃと接続できる。ＰＣ６ａ及びＰＣ６ｂは、各電力メータ１ａ〜１ｄの接続関係情報を得ることで、電力メータ１ａ〜１ｄとの接続を確立し、接続した電力メータ１の各ＲＯＭ１２に蓄積されている電力データを得ることができる。
【００５６】
かかる構成の計測システム１０に、ＰＣ６ｃが追加される場合の動作について説明する。ＰＣ６ｃは既にインターネット９に接続されている状態ではあるが、設定ファイル８１の格納場所情報及び電力データＤＢ８２の格納場所情報は有していない。そこで、ＰＣ６ｃは、最初に、近くの電力メータ１ｄとペアリングし、Bluetooth５ｆの接続を確立する。この状態では、ＰＣ６ｃはまだ、電力メータ１ｄがどの電気製品３の電力を計測しているかや、他の電力メータ１ａ〜１ｃとどのように接続されているかなどの情報を有していない。
【００５７】
そこで、ＰＣ６ｃは、電力メータ１ｄのＲＯＭ１２に格納されている設定ファイル格納場所情報３１を参照し、サーバ８上から設定ファイル８１を読み出す。これにより、電力メータ１ａ〜１ｄの接続状態や、電力メータ１ａ〜１ｄのそれぞれが測定対象とする電気製品３の情報を入手することができる。
【００５８】
［ＰＣを追加した場合の接続関係記録処理］
以上に説明した、本実施形態に係るＰＣ６を追加した場合の接続関係記録処理について、図８を参照して説明する。本処理が開始されると、ＰＣ６は、ＰＣ６を操作するユーザが参照したい電力メータ１との無線通信（Bluetooth）の設定を行う（ステップＳ３１）。電力メータ１は、これに応じて、ＰＣ６との無線通信の設定（ペアリング処理）を行う（ステップＳ３２）。
【００５９】
電力メータ１が無線通信の設定（ペアリング処理）の完了を通知すると、ＰＣ６は、電力メータ１のＲＯＭ１２に記録されている設定ファイルの格納場所情報の送信を要求する（ステップＳ３３）。これに応じて、電力メータはＲＯＭ１２に格納されている設定ファイル格納場所情報３１を送信する（ステップＳ３４）。
【００６０】
ＰＣ６は、受信した設定ファイル格納場所情報３１に基づき、サーバ８から設定ファイル８１を読み出す（ステップＳ３５）。次に、ＰＣ６は、設定ファイル８１の内容に従い、電力メータ１の設定情報（接続関係情報を含む）及び電力データの格納先情報をアプリケーションソフトウェア７に設定する（ステップＳ３６）。ＰＣ６は、最後に追加されたＰＣ６の情報を設定ファイル８１に追加し、サーバ８上の設定ファイル８１を更新し（ステップＳ３７）、本処理を終了する。
【００６１】
以上、本実施形態に係る計測システム１０によれば、各電力メータ１は、ネットワークグループＮＷに属する複数の電力メータ１の接続関係情報の格納場所情報を受信し、各電力メータ１のＲＯＭ１２に保存する。このように、本実施形態に係る計測システム１０によれば、複数の電力メータ１の接続関係情報の格納場所情報を、ＰＣ６から参照可能な各電力メータ１に記録させる。これにより、ネットワークグループＮＷに追加されたＰＣ６は、接続をしたいずれかの電力メータ１から、接続関係情報の格納場所情報を抽出し、その格納場所情報が示す格納先にある設定ファイル８１を参照することができる。このようにして、追加されたＰＣ６は、ネットワークグループＮＷに属する電力メータ１の接続関係を示す情報を、該接続関係を示す情報の格納場所情報を予め取得する必要なく取得することができる。
【００６２】
なお、図７に示す計測システム１０において、接続関係情報は、電力メータ１ａ〜１ｄとＰＣ６ａ〜６ｃとの接続関係を示すBluetooth５ａ〜５ｆと、電力メータ１ａ〜１ｄの親子関係を示す情報と、ＰＣ６ａ〜６ｃが電力メータ１ａ〜１ｄの少なくともいずれかに接続する際のルート経路の情報を含む。
【００６３】
なお、本実施形態では、電力メータ１が電力データを計測する例を示したが、電力データに替えて又は電力データと共に、温度データ、湿度データ及び照度データを計測してもよい。温度データ、湿度データ及び照度データは、電力メータ１に設置した温度センサ、湿度センサ及び照度センサにより所定時間毎に検知される。電力メータ１により計測された温度センサ、湿度センサ及び照度センサは、温度・湿度・照度データＤＢ３３に一時保存され、適宜サーバ８上に蓄積される。
【００６４】
（その他の実施例）
同一のネットワークグループＮＷに属する複数の機器は、電力メータ１に限らない。例えば、ネットワークグループＮＷに属する複数の機器の他の例としてＢＤレコーダを例に挙げる。自宅内に設置したサーバに録画データを保存する運用では、複数チャンネルを同時録画する目的で複数のＢＤレコーダを接続する場合、接続の設定ファイルはサーバ８上に格納し、ＢＤレコーダ内には、設定ファイルの格納場所情報を格納する。
【００６５】
後から追加するＢＤレコーダは、先に接続されたＢＤレコーダから設定ファイルの格納場所情報を読み出し、設定ファイルの格納場所情報が示す格納場所に記録された、サーバ上の設定ファイルを読み出すことで、直ちに無線接続の設定を行うことができる。また、ＰＣ６にて録画データを閲覧する運用でＢＤレコーダに接続する場合は、格納されている設定ファイルの格納場所情報を読み出し、設定ファイルの格納場所情報が示す格納場所に記録された、サーバ上の設定ファイルを読み出すことで、直ちに無線接続の設定を行うことができる。
【００６６】
クラウド上の記録装置の所定の格納場所に設定ファイルを格納し、その格納場所情報をＰＣ６に通知して、ＰＣ６が設定ファイルを参照することも考えられる。あるいは、クラウド上のアプリケーションが、設定ファイルへのアクセスを実行することでＰＣ６が設定ファイルを参照することが考えられる。しかしながら、本実施形態にかかる計測システム１０であれば、そのようなアプリケーションの格納場所自体を知る必要がなくなる。
【００６７】
＜おわりに＞
以上、機器、接続関係記録方法及び接続関係記録プログラムを上記実施形態により説明したが、本発明に係る機器、接続関係記録方法及び接続関係記録プログラムは上記実施形態に限定されるものではなく、本発明の範囲内で種々の変形及び改良が可能である。また、上記実施形態及び変形例が複数存在する場合、矛盾しない範囲で組み合わせることができる。
【００６８】
以上の説明に関し、更に以下の項を開示する。
（付記１）
ネットワークグループに属する複数の機器のうちのいずれかの機器であって、前記ネットワークグループに属する複数の機器の接続関係を示す情報の格納場所情報を受信する通信制御部と、
受信した前記複数の機器の接続関係を示す情報の格納場所情報を記録する記録部と、
を有する機器。
（付記２）
前記複数の機器の接続関係を示す情報は、
前記複数の機器の親子関係を示すペアレント情報と、前記複数の機器のアクセス経路を示すルート情報とを含む、
付記１に記載の機器。
（付記３）
前記通信制御部は、ネットワークグループに属する前記複数の機器が測定する測定情報を参照している情報処理装置とは異なる情報処理装置からの要求に応じて、前記複数の機器の接続関係を示す情報の格納場所情報を送信する送信部を有する、
付記１又は２に記載の機器。
（付記４）
ネットワークグループに属する複数の機器のうちのいずれかの機器のコンピュータが実行する接続関係記録方法であって、
前記ネットワークグループに属する複数の機器の接続関係を示す情報の格納場所情報を受信し、
受信した前記複数の機器の接続関係を示す情報の格納場所情報を記録部に記録する、
処理をコンピュータが実行する接続関係記録方法。
（付記５）
前記複数の機器の接続関係を示す情報は、
前記複数の機器の親子関係を示すペアレント情報と、前記複数の機器のアクセス経路を示すルート情報とを含む、
付記４に記載の接続関係記録方法。
（付記６）
ネットワークグループに属する前記複数の機器が測定する測定情報を参照している情報処理装置とは異なる情報処理装置からの要求に応じて、前記複数の機器の接続関係を示す情報の格納場所情報を送信する、
付記４又は５に記載の接続関係記録方法。
（付記７）
ネットワークグループに属する複数の機器のうちのいずれかの機器のコンピュータに実行させるための接続関係記録プログラムであって、
前記ネットワークグループに属する複数の機器の接続関係を示す情報の格納場所情報を受信し、
受信した前記複数の機器の接続関係を示す情報の格納場所情報を記録部に記録する、
処理をコンピュータに実行させるための接続関係記録プログラム。
（付記８）
前記複数の機器の接続関係を示す情報は、
前記複数の機器の親子関係を示すペアレント情報と、前記複数の機器のアクセス経路を示すルート情報とを含む、
付記７に記載の接続関係記録プログラム。
（付記９）
ネットワークグループに属する前記複数の機器が測定する測定情報を参照している情報処理装置とは異なる情報処理装置からの要求に応じて、前記複数の機器の接続関係を示す情報の格納場所情報を送信する、
付記７又は８に記載の接続関係記録プログラム。
【符号の説明】
【００６９】
１    電力メータ
２    コンセント
３    電気製品
４    電源ケーブル
６    ＰＣ
８    サーバ
１０  計測システム
１１  マイコン
１２  ＲＯＭ
１３  電力計測回路
１４  温度・湿度・照度計測回路
１５  無線回路
１６  電源回路
１７  プラグ
１８  プラグ差込口
１９  アンテナ
２１  データ測定部
２２  記録部
２３  制御部
２４  通信制御部
３１  設定ファイル格納場所情報
３２  電力データＤＢ
３３  温度・湿度・照度データＤＢ
３４  接続関係記録プログラム
８１  設定ファイル
８２  電力データＤＢ
ＮＷ  ネットワークグループ
【図１】
2017163218.tif 000003
【図２】
2017163218.tif 000004
【図３】
2017163218.tif 000005
【図４】
2017163218.tif 000006
【図５】
2017163218.tif 000007
【図６】
2017163218.tif 000008
【図７】
2017163218.tif 000009
【図８】
2017163218.tif 000010